(57)【要約】【課題】レセプタクルと光ファイバ間の光軸ズレの発生を抑制して、光軸ズレの発生に伴うウイグル特性の劣化やガラス封止部の信頼性の劣化を防止することができる光送受信器、光送信器及び光受信器を得ることを目的とする。【解決手段】光信号送信部１及び光信号受信部２とガラエポ基板９とを電気的に接続するフレキシブル基板７と、ＢＩＤＩモジュール６に固定され、光ファイバ３と光フィルタ１０間を接続するレセプタクル４とを設け、ハウジング５がレセプタクル４と光ファイバ１０との接続部を保持し、当該接続部をガラエポ基板９上に傾き自在に支持する。【選択図】図１
2010109173.tif 000002
【特許請求の範囲】
【請求項１】
電気信号を第１の波長帯の光信号に変換して、上記光信号を送信する光信号送信部と、上記第１の波長帯と異なる第２の波長帯の光信号を受信して、上記光信号を電気信号に変換する光信号受信部と、上記光信号送信部から送信された第１の波長帯の光信号を光ファイバに出射する一方、上記光ファイバから第２の波長帯の光信号を入射して、上記光信号を上記光信号受信部に出力する光フィルタとを含む光送受信モジュール、
上記光信号送信部及び上記光信号受信部と回路実装基板とを電気的に接続するフレキシブル基板、
上記光送受信モジュールに固定され、上記光ファイバと上記光フィルタ間を接続するレセプタクル、
上記レセプタクルと上記光ファイバとの接続部を保持し、当該接続部を上記回路実装基板上に傾き自在に支持するハウジングを備えた光送受信器。
【請求項２】
フレキシブル基板と回路実装基板が一回の熱圧着工程で電気的に接続されていることを特徴とする請求項１記載の光送受信器。
【請求項３】
電気信号を第１の波長帯の光信号に変換して、上記光信号を送信する光信号送信部と、上記第１の波長帯と異なる第２の波長帯の光信号を受信して、上記光信号を電気信号に変換する光信号受信部と、上記光信号送信部から送信された第１の波長帯の光信号を光ファイバに出射する一方、上記光ファイバから第２の波長帯の光信号を入射して、上記光信号を上記光信号受信部に出力する光フィルタとを含む光送受信モジュール、
上記光信号送信部及び上記光信号受信部と集積回路とを電気的に接続するフレキシブル基板、
上記光送受信モジュールに固定され、上記光ファイバと上記光フィルタ間を接続するレセプタクルを備えた光送受信器。
【請求項４】
光双方向モジュールにより光信号送信部と光信号受信部が並列に保持されていることを特徴とする請求項１から請求項３のうちのいずれか１項記載の光送受信器。
【請求項５】
電気信号を光信号に変換して、上記光信号を光ファイバに出射する光信号送信部を含む光送信モジュール、
上記光信号送信部と回路実装基板とを電気的に接続するフレキシブル基板、
上記光送信モジュールに固定され、上記光ファイバと上記光フィルタ間を接続するレセプタクル、
上記レセプタクルと上記光ファイバとの接続部を保持し、当該接続部を上記回路実装基板上に傾き自在に支持するハウジングを備えた光送信器。
【請求項６】
光ファイバから光信号を入射して、上記光信号を電気信号に変換する光信号受信部を含む光受信モジュール、
上記光信号受信部と回路実装基板とを電気的に接続するフレキシブル基板、
上記光受信モジュールに固定され、上記光ファイバと上記光フィルタ間を接続するレセプタクル、
上記レセプタクルと上記光ファイバとの接続部を保持し、当該接続部を上記回路実装基板上に傾き自在に支持するハウジングを備えた光受信器。
【発明の詳細な説明】
【技術分野】
【０００１】
この発明は、例えば、光信号を伝送するＧＥＰＯＮ（Ｇｉｇａｂｉｔ  Ｅｔｈｅｒｎｅｔ  Ｐａｓｓｉｖｅ  Ｏｐｔｉｃａｌ  Ｎｅｔｗｏｒｋ（Ｅｔｈｅｒｎｅｔは登録商標））システムに使用される光送受信器、光送信器及び光受信器に関するものである。
【背景技術】
【０００２】
ＩＥＥＥ８０２．３ａｈをベースとするギガビットの伝送が可能なＰＯＮ方式であるＧＥＰＯＮによる光通信システムは、上り（加入者→局舎）のディジタルデータを示す第１の波長帯の光信号と、下り（局舎→加入者）のディジタルデータを示す第２の波長帯の光信号とを波長多重することで、ディジタルデータの双方向通信を実現している。
上記光通信システムの加入者側に設置される加入者側光回線終端装置（ＯＮＴ：Ｏｐｔｉｃａｌ  Ｎｅｔｗｏｒｋ  Ｔｅｒｍｉｎａｌ）には、上記の光信号を送受信する双方向光送受信モジュール（ＢＩＤＩモジュール）を実装している光送受信器が設けられている。
【０００３】
以下の特許文献１には、図１０に示すような従来の光送受信器が開示されている。なお、図１１は図１０の光送受信器の断面図であり、図１２は光ファイバの光軸方向が変化している状態を示す説明図である。
従来の光送受信器は、電気信号を光信号に変換して、その光信号を送信する光信号送信部１０２と、光信号を受信して、その光信号を電気信号に変換する光信号受信部１０３とがＢＩＤＩモジュール１０１に保持されており、また、光ファイバ１０５が接続されているコネクタ１０５ａと結合するレセプタクル１０７がハウジング１０８（図１０及び図１１では、ハウジング１０８を省略している）に保持されている。
【０００４】
このとき、光信号送信部１０２のリードピン１０２ａは、フレキシブル基板１０４を介してガラエポ基板１０６（電気信号を光信号送信部１０２に出力する処理や、光信号受信部１０３から出力された電気信号を処理する回路実装基板）と電気的に接続されているが、光信号受信部１０３のリードピン１０３ａは、ガラエポ基板１０６に直接挿入されることで、ガラエポ基板１０６と電気的に接続されている。
【０００５】
レセプタクル１０７を保持しているハウジング１０８は、ガラエポ基板１０６に固定されている。
また、光信号受信部１０３のリードピン１０３ａは、ガラエポ基板１０６に固定されている。
したがって、光ファイバ１０５の光軸方向が変化すると（図１２では、光軸方向が右上方向に変化している）、レセプタクル１０７と光ファイバ１０５の間で光軸ズレが発生する。
【０００６】
【特許文献１】特開２００８−０７１７８４号公報（図４）
【発明の開示】
【発明が解決しようとする課題】
【０００７】
従来の光送受信器は以上のように構成されているので、光信号受信部１０３のリードピン１０３ａとハウジング１０８の２箇所が、ガラエポ基板１０６に固定されている構造である。このため、光ファイバ１０５の光軸方向が変化すると、レセプタクル１０７と光ファイバ１０５の間で光軸ズレが発生して、ウイグル特性（光電力の変動）が劣化してしまう課題があった。また、光信号受信部１０３のリードピン１０３ａに応力が発生して、ガラス封止部の信頼性が劣化してしまう課題があった。
【０００８】
この発明は上記のような課題を解決するためになされたもので、レセプタクルと光ファイバ間の光軸ズレの発生を抑制して、光軸ズレの発生に伴うウイグル特性の劣化やガラス封止部の信頼性の劣化を防止することができる光送受信器、光送信器及び光受信器を得ることを目的とする。
【課題を解決するための手段】
【０００９】
この発明に係る光送受信器は、光信号送信部及び光信号受信部と回路実装基板とを電気的に接続するフレキシブル基板と、光送受信モジュールに固定され、光ファイバと光フィルタ間を接続するレセプタクルとを設け、ハウジングがレセプタクルと光ファイバとの接続部を保持し、当該接続部を回路実装基板上に傾き自在に支持するようにしたものである。
【発明の効果】
【００１０】
この発明によれば、光信号送信部及び光信号受信部と回路実装基板とを電気的に接続するフレキシブル基板と、光送受信モジュールに固定され、光ファイバと光フィルタ間を接続するレセプタクルとを設け、ハウジングがレセプタクルと光ファイバとの接続部を保持し、当該接続部を回路実装基板上に傾き自在に支持するように構成したので、レセプタクルと光ファイバ間の光軸ズレの発生を抑制して、光軸ズレの発生に伴うウイグル特性の劣化やガラス封止部の信頼性の劣化を防止することができる効果がある。
【発明を実施するための最良の形態】
【００１１】
実施の形態１．
図１及び図２はこの発明の実施の形態１による光送受信器を示す斜視図であり、図３及び図４はこの発明の実施の形態１による光送受信器を示す断面図である。
図において、光信号送信部１は発光素子であるＬＤ（Ｌａｓｅｒ  Ｄｉｏｄｅ）を実装しており、ガラエポ基板９から出力された電気信号をリードピン１ａから入力し、その電気信号を第１の波長帯の光信号（例えば、波長が１３１０ｎｍの光信号）に変換して、その光信号を光フィルタ３に出力する処理を実施する。
【００１２】
光信号受信部２は受光素子であるＰＤ（Ｐｈｏｔｏ  Ｄｉｏｄｅ）を実装しており、光フィルタ３から出力された第２の波長帯の光信号（例えば、波長が１４９０ｎｍの光信号）を電気信号に変換して、リードピン２ａから当該電気信号をガラエポ基板９に出力する処理を実施する。
光フィルタ３は例えばＷＤＭ（Ｗａｖｅｌｅｎｇｔｈ  Ｄｉｖｉｓｉｏｎ  Ｍｕｌｔｉｐｌｅｘｉｎｇ）フィルタなどから構成されており、光信号送信部１から出力された第１の波長帯の光信号を光ファイバ１０に出射する一方、光ファイバ１０から第２の波長帯の光信号を入射して、その光信号を光信号受信部２に出力する処理を実施する。
【００１３】
レセプタクル４はＢＩＤＩモジュール６に固定され、光ファイバ１０のコネクタ１０ａと光フィルタ３間を接続する接続部材である。
ハウジング５はレセプタクル４と光ファイバ１０との接続部を保持し、当該接続部をガラエポ基板９上に傾き自在に支持する部材である。
なお、ここでは、ボックス型のハウジング５を示しているが、これは一例に過ぎず、レセプタクル４と光ファイバ１０との接続部を保持し、当該接続部をガラエポ基板９上に傾き自在に支持できる部材であれば、ハウジング５の形状はいかなるものでもよい。
【００１４】
ＢＩＤＩモジュール６は光信号送信部１と光信号受信部２を含む光送受信モジュールである。
フレキシブル基板７はＢＩＤＩモジュール６における光信号送信部１のリードピン１ａ及び光信号受信部２のリードピン２ａと電気的に接続されており、また、ガラエポ基板９と電気的に接続されている。
なお、フレキシブル基板７は一回の熱圧着工程でガラエポ基板９と電気的に接続されている。
【００１５】
クランプ８は例えば根元部分がバネなどの弾性部材を介してガラエポ基板９に固定され、先端部分（爪状の部材）がハウジング５を支持している支持部材である。
ガラエポ基板９はクランプ８を用いて、ハウジング５を傾き自在に支持している回路実装基板であり、ガラエポ基板９は上りのディジタルデータである電気信号を光信号送信部１に出力し、光信号受信部２から下りのディジタルデータである電気信号を受信するなどの処理を実施する。
【００１６】
次に動作について説明する。
ガラエポ基板９は、上りのディジタルデータである電気信号をフレキシブル基板７を介して光信号送信部１に出力する。
光信号送信部１は、ガラエポ基板９から出力された電気信号をリードピン１ａから入力し、その電気信号を第１の波長帯の光信号に変換して、その光信号を光フィルタ３に出力する。
【００１７】
光フィルタ３は、光信号送信部１から第１の波長帯の光信号を受けると、その光信号を光ファイバ１０に出射する。
これにより、上りのディジタルデータを示す光信号が局側光回線終端装置（ＯＬＴ：Ｏｐｔｉｃａｌ  Ｌｉｎｅ  Ｔｅｒｍｉｎａｌ）に伝送される。
また、光フィルタ３は、光ファイバ１０から下りのディジタルデータを示す第２の波長帯の光信号（局側光回線終端装置から送信された光信号）を入射して、その光信号を光信号受信部２に出力する。
【００１８】
光信号受信部２は、光フィルタ３から第２の波長帯の光信号を受けると、その光信号を電気信号に変換し、リードピン２ａからフレキシブル基板７を介して、その電気信号をガラエポ基板９に出力する。
これにより、ガラエポ基板９は、下りのディジタルデータを取得することができる。
【００１９】
ここで、ハウジング５は、レセプタクル４と光ファイバ１０との接続部を保持し、当該接続部をガラエポ基板９上に傾き自在に支持している。
即ち、クランプ８の先端部分（爪状の部材）がハウジング５を支持し、クランプ８の根元部分（図中、下側）が、例えばバネなどの弾性部材を介してガラエポ基板９に固定されているので、ハウジング５が、ガラエポ基板９に対して、ガタツキがある状態で支持されている。この結果、レセプタクル４と光ファイバ１０との接続部が、ハウジング５によって、ガラエポ基板９上に傾き自在に支持される。
【００２０】
これにより、光ファイバ１０の光軸方向が水平方向である状態から（図３を参照）、例えば、図４に示すように、光ファイバ１０の光軸方向が右上方向に変化すると、クランプ８の根元部分のバネが延びることで、ハウジング５が図中左側に傾き、レセプタクル４と光ファイバ１０間の光軸方向の同一性が維持される。よって、レセプタクル４と光ファイバ１０間の光軸ズレが発生しない。
また、光ファイバ１０の光軸方向が変化しても、光信号送信部１のリードピン１ａ及び光信号受信部２のリードピン２ａとガラエポ基板９間の電気的な接続は、フレキシブル基板７を介して行われているので、従来例のように、光信号送信部１のリードピン１ａ及び光信号受信部２のリードピン２ａに応力が発生せず、ガラス封止部の信頼性が劣化することがない。
【００２１】
図５はフレキシブル基板７の形状を示す説明図である。
図５では、フレキシブル基板７の形状が、面取り数が最大となるストレート形状としている。
これにより、安価にフレキシブル基板７を製造することが可能である。
【００２２】
以上で明らかなように、この実施の形態１によれば、光信号送信部１及び光信号受信部２とガラエポ基板９とを電気的に接続するフレキシブル基板７と、ＢＩＤＩモジュール６に固定され、光ファイバ３と光フィルタ１０間を接続するレセプタクル４とを設け、ハウジング５がレセプタクル４と光ファイバ１０との接続部を保持し、当該接続部をガラエポ基板９上に傾き自在に支持するように構成したので、レセプタクル４と光ファイバ１０間の光軸ズレの発生を抑制して、光軸ズレの発生に伴うウイグル特性の劣化やガラス封止部の信頼性の劣化を防止することができる効果を奏する。
【００２３】
また、この実施の形態１によれば、フレキシブル基板７とガラエポ基板９が一回の熱圧着工程で電気的に接続されているようにしたので、組立工程の簡略化とコストの削減を図ることができる効果を奏する。
即ち、従来例では一回の熱圧着工程と一回のリードはんだ付け工程を必要としていたが、一回のリードはんだ付け工程を削減することができるため、組立工程の簡略化とコストの削減を図ることができる。
【００２４】
なお、この実施の形態１では、ガラエポ基板９がクランプ８を用いて、ハウジング５を傾き自在に支持しているものについて示したが、ハウジング５を傾き自在に支持することができれば、クランプ８を用いるものに限るものではない。
例えば、ハウジング５とガラエポ基板９の間に弾力性があるマットを挟んで、ハウジング５をガラエポ基板９の上に載置するようにしても、同様の効果を奏することができる。
また、ハウジング５をガラエポ基板９の上に載置するだけで、ガラエポ基板９がハウジング５を支持せず、図示せぬ部材が、クランプなどを用いて、ハウジング５を傾き自在に支持するようにしてもよい。
【００２５】
実施の形態２．
上記実施の形態１では、ガラエポ基板９が上りのディジタルデータである電気信号を光信号送信部１に出力するとともに、光信号受信部２から下りのディジタルデータである電気信号を受信するものについて示したが、図６に示すように、ガラエポ基板９の代わりに、集積回路であるＩＣ１１が、上りのディジタルデータである電気信号を光信号送信部１に出力するとともに、光信号受信部２から下りのディジタルデータである電気信号を受信するものとして、ＩＣ１１をフレキシブル基板１１に実装するようにしてもよい。
この場合も、上記実施の形態１と同様の効果を奏することができる。
【００２６】
実施の形態３．
上記実施の形態１では、光信号送信部１がＢＩＤＩモジュール６の上部に保持され、光信号受信部２がＢＩＤＩモジュール６の側面に保持されているものについて示したが、図７に示すように、光信号送信部１と光信号受信部２がＢＩＤＩモジュール６の側面に並列に保持されているようにしてもよい。
この場合も、上記実施の形態１と同様の効果を奏することができる。
【００２７】
実施の形態４．
上記実施の形態１では、光信号送信部１と光信号受信部２を保持しているＢＩＤＩモジュール６からなる光送受信器について示したが、図８に示すように、光信号受信部２を保持せずに、光信号送信部１を保持しているＴＯＳＡモジュール１２（光送信モジュール）からなる光送信器であってもよく、上記実施の形態１と同様の効果を奏することができる。
【００２８】
実施の形態５．
上記実施の形態１では、光信号送信部１と光信号受信部２を保持しているＢＩＤＩモジュール６からなる光送受信器について示したが、図９に示すように、光信号送信部１を保持せずに、光信号受信部２を保持しているＲＯＳＡモジュール１３（光受信モジュール）からなる光受信器であってもよく、上記実施の形態１と同様の効果を奏することができる。
【図面の簡単な説明】
【００２９】
【図１】この発明の実施の形態１による光送受信器を示す斜視図である。
【図２】この発明の実施の形態１による光送受信器を示す斜視図である。
【図３】この発明の実施の形態１による光送受信器を示す断面図である。
【図４】この発明の実施の形態１による光送受信器を示す断面図である。
【図５】フレキシブル基板７の形状を示す説明図である。
【図６】この発明の実施の形態２による光送受信器を示す断面図である。
【図７】この発明の実施の形態３による光送受信器の要部を示す断面図である。
【図８】この発明の実施の形態４による光送信器を示す斜視図である。
【図９】この発明の実施の形態５による光受信器を示す斜視図である。
【図１０】従来の光送受信器を示す斜視図である。
【図１１】図１０の光送受信器の断面図である。
【図１２】光ファイバの光軸方向が変化している状態を示す説明図である。
【符号の説明】
【００３０】
１  光信号送信部、１ａ  リードピン、２  光信号受信部、２ａ  リードピン、３  光フィルタ、４  レセプタクル、５  ハウジング、６  ＢＩＤＩモジュール（光送受信モジュール）、７  フレキシブル基板、８  クランプ、９  ガラエポ基板、１０  光ファイバ、１０ａ  コネクタ、１１  ＩＣ（集積回路）、１２  ＴＯＳＡモジュール（光送信モジュール）、１３  ＲＯＳＡモジュール（光受信モジュール）、１０１  ＢＩＤＩモジュール、１０２  光信号送信部、１０２ａ  リードピン、１０３  光信号受信部、１０３ａ  リードピン、１０４  フレキシブル基板、１０５  光ファイバ、１０５ａ  コネクタ、１０６  ガラエポ基板、１０７  レセプタクル、１０８  ハウジング。
【図１】
2010109173.tif 000003
【図２】
2010109173.tif 000004
【図３】
2010109173.tif 000005
【図４】
2010109173.tif 000006
【図５】
2010109173.tif 000007
【図６】
2010109173.tif 000008
【図７】
2010109173.tif 000009
【図８】
2010109173.tif 000010
【図９】
2010109173.tif 000011
【図１０】
2010109173.tif 000012
【図１１】
2010109173.tif 000013
【図１２】
2010109173.tif 000014